(57)【要約】【課題】芳香剤、消臭剤又は害虫忌避剤等としての機能を有するとともに、エアゾール内容物の噴射の目視確認が可能で、かつ使用者の趣味感を満足させる事が可能なエアゾール製品を得る。【解決手段】エアゾール容器１のステム３と連通し、エアゾール内容物の噴出が可能な噴出口７を、内部に液体10を充填した透明又は半透明の収納容器８の下部に接続する。この収納容器８の上端に、噴出口７から噴出し液体10中を通過上昇したエアゾール内容物が外部に放出される放出口12を開口する。【選択図】図１
2005319344.tif 000002
【特許請求の範囲】
【請求項１】
エアゾール容器のステムと連通しエアゾール内容物の噴出が可能な噴出口を、内部に液体を充填した透明又は半透明の収納容器の下部に接続するとともにこの収納容器の上端に、噴出口から噴出し液体中を通過上昇したエアゾール内容物が外部に放出される放出口を開口した事を特徴とするエアゾール装置。
【請求項２】
噴出口とステムとの間隔には、エアゾール内容物の流通を抑制可能とする流量抑制機構を設けた事を特徴とする請求項１のエアゾール装置。
【請求項３】
ステムと流量抑制機構との間隔には、ステムから噴出するエアゾール内容物を一定量収納可能なチャンバーを設けた事を特徴とする請求項２のエアゾール装置。
【請求項４】
流量抑制機構は、ステムと連通する流通路を設け、この流通路内に流量抑制駒を収納し、この流量抑制駒の外周面とこの流量抑制駒と当接する流通路の内周壁面との間に、エアゾール内容物の流通を抑制可能とする流通間隔を形成して成る事を特徴とする請求項２又は３のエアゾール装置。
【請求項５】
流量抑制機構は、ステムと連通する流通路を設け、この流通路内にノズルケーシングを挿入配置するとともに、このノズルケーシングの先端にボールを配置し、このボールの配置状態において、ボールの半球よりも先端側までノズルケーシングの先端固定部を延伸して配置し、この先端固定部をボールの半球よりも先端側の外周面に巻締め固定することにより、ボールをノズルケーシングに不動的に固定するとともにノズルケーシングの内周壁面とボールの外周面との間に、エアゾール内容物の流量を抑制可能とする流通間隔を形成して成る事を特徴とする請求項２又は３のエアゾール装置。
【請求項６】
噴出口は、収納容器を固定した噴射本体に形成し、この噴射本体を、エアゾール容器方向へ押圧可能とするとともにこの噴射本体を、エアゾール容器の外周に接続した外筒に、上下動及び位置固定可能に接続し、この位置固定によりエアゾール内容物の連続噴射を可能とした事を特徴とする請求項１、２又は３のエアゾール装置。
【請求項７】
液体は、粘度を１〜１００００ｍＰａ・ｓとした事を特徴とする請求項１のエアゾール装置。
【請求項８】
液体は、着色した事を特徴とする請求項１又は７のエアゾール装置。
【発明の詳細な説明】
【技術分野】
【０００１】
本発明は、芳香剤、脱臭剤又は害虫用忌避剤等を外部に噴射するエアゾール装置に係るもので、エアゾール内容物の噴射状態の目視を可能とするとともに趣味感を向上させる事を可能とするものである。
【背景技術】
【０００２】
従来より、芳香剤、脱臭剤又は害虫用忌避剤等を、室内等に噴射する場合には、押釦の押圧により使用者が任意の量のエアゾール内容物を空中に噴出させたり、特許文献１〜７の如く、エアゾール内容物の噴射量を抑制可能な手段をエアゾール容器に設け、エアゾール内容物を微量ずつ外部に放出させるものが存在した。特許文献１では、ノズルを設けた本体にエアゾール内容物の貯留室を形成している。そして、エアゾール内容物の噴射時に、その一部を貯留室内に貯留し、この貯留室内のエアゾール内容物が、貯留室の壁面に設けた微小な流通孔から微量ずつ外部に放出されるものである。
【０００３】
また、特許文献２〜７では、噴射ノズルから外部にエアゾール内容物を噴出すると同時に、エアゾール内容物の流通路等に配置した多孔体に、エアゾール内容物を含浸させている。そして、この多孔体に含浸されたエアゾール内容物が、微量ずつ外部に放出される事により、芳香や消臭効果、害虫忌避効果等を持続させる事ができるものであった。
【特許文献１】実公昭５６−１０６８５９号公報
【特許文献２】実公昭５７−９８２７５号公報
【特許文献３】実公昭６０−５８２７３号公報
【特許文献４】特開平７−１３２９８０号公報
【特許文献５】特開２００１−２８６２５３号公報
【特許文献６】特開２００２−２２４５９４号公報
【特許文献７】特開２００３−１６０１５８号公報
【発明の開示】
【発明が解決しようとする課題】
【０００４】
しかしながら、上記従来技術のエアゾール製品では、エアゾール内容物の放出状態を使用者が確認する事ができず、過剰に放出されているのか、不足しているのかが判別しにくいものであった。また、これらは、従来の製品は機能性のみが考慮され、デザイン性には乏しく、家具等に載置して長期に使用するには違和感があり、エアゾール製品としての機能と装飾品としての機能を合わせ持つものではなかった。
【０００５】
本願発明は上述のごとき課題を解決しようとするものであって、芳香剤、消臭剤又は害虫忌避剤等としての機能を有するとともに、エアゾール内容物の噴射の目視確認が可能で、かつ使用者の趣味感を満足させる事が可能なエアゾール製品を得るものである。
【課題を解決するための手段】
【０００６】
本発明は、エアゾール容器のステムと連通しエアゾール内容物の噴出が可能な噴出口を、内部に液体を充填した透明又は半透明の収納容器の下部に接続するとともにこの収納容器の上端に、噴出口から噴出し液体中を通過上昇したエアゾール内容物が外部に放出される放出口を開口して成るものである。
【０００７】
また、噴出口とステムとの間隔には、エアゾール内容物の流通を抑制可能とする流量抑制機構を設けても良い。
【０００８】
また、ステムと流量抑制機構との間隔には、ステムから噴出するエアゾール内容物を一定量収納可能なチャンバーを設けても良い。
【０００９】
また、流量抑制機構は、ステムと連通する流通路を設け、この流通路内に流量抑制駒を収納し、この流量抑制駒の外周面とこの流量抑制駒と当接する流通路の内周壁面との間に、エアゾール内容物の流通を抑制可能とする流通間隔を形成して成るものであっても良い。
【００１０】
また、流量抑制機構は、ステムと連通する流通路を設け、この流通路内にノズルケーシングを挿入配置するとともに、このノズルケーシングの先端にボールを配置し、このボールの配置状態において、ボールの半球よりも先端側までノズルケーシングの先端固定部を延伸して配置し、この先端固定部をボールの半球よりも先端側の外周面に巻締め固定することにより、ボールをノズルケーシングに不動的に固定するとともにノズルケーシングの内周壁面とボールの外周面との間に、エアゾール内容物の流量を抑制可能とする流通間隔を形成して成るものであっても良い。
【００１１】
また、噴出口は、収納容器を固定した噴射本体に形成し、この噴射本体を、エアゾール容器方向へ押圧可能とするとともにこの噴射本体を、エアゾール容器の外周に接続した外筒に、上下動及び位置固定可能に接続し、この位置固定によりエアゾール内容物の連続噴射を可能としたものであっても良い。
【００１２】
また、液体は、粘度を１〜１００００ｍＰａ・ｓとしても良い。
【００１３】
また、液体は、着色しても良い。
【発明の効果】
【００１４】
本発明は上述の如く構成したもので、エアゾール容器から噴射されたエアゾール内容物が、気泡となって収納容器の液体中を通過上昇した後、放出口から放出される。この液体中を気泡が通過上昇する様子を、使用者が透明又は半透明の収納容器を介して目視確認できる。従って、使用者はエアゾール内容物の外部への噴射量を概略把握する事ができ、使用量の適否等の判断が容易となるとともに、使用者の趣味感をも満足させる事が可能となる。また、気泡が液体中を通過上昇する事により、デザイン性等が向上し、使用者の嗜好性が高まり、室内等に載置して好んで使用され得る製品を得る事ができる。
【実施例１】
【００１５】
以下本発明の実施例１を図１〜図４に於いて説明すれば、(１)はエアゾール容器で、内部にエアゾール内容物を充填するとともに上端にマウテンカップ(２)を固定している。このマウテンカップ(２)は内面にハウジング(図示せず)を介してバルブ機構(図示せず)を接続し、このバルブ機構のステム(３)を、マウンテンカップ(２)から外部に突出している。このステム(３)をエアゾール容器(１)方向に押圧することによりバルブ機構を開弁し、エアゾール内容物の噴射を可能としている。また、エアゾール容器(１)に充填するエアゾール内容物は、例えば芳香剤として使用する場合は、香料とＬＰガス等の噴射剤を充填するものである。
【００１６】
そして、ステム(３)の上端には、当該ステム(３)を押圧するための筒状の噴射本体(５)を接続固定している。この噴射本体(５)には、ステム(３)と連通しステム(３)から噴射されたエアゾール内容物が流動する流通路(６)を軸方向に形成している。そして、この流通路(６)の先端に、エアゾール内容物の噴出口(７)を形成している。また、噴射本体(５)は、噴出口(７)側の上端に、透明又は半透明の収納容器(８)を液密的に接続固定している。そして、この収納容器(８)内に、水、低級アルコール、多価アルコール、シリコンオイル、炭化水素、エーテル、エステル油又は油脂類等の液体(10)を収納している。このような構成により、噴出口(７)から噴出したエアゾール内容物が、図１に示す如く、気泡(11)となって収納容器(８)の液体(10)中を通過上昇するものとなる。この液体(10)中を通過上昇したエアゾール内容物は、収納容器(８)の上端壁面に開口した放出口(12)を介して、外部に放出される。この放出口(12)は、長溝を複数開口して形成しても良いし、上端壁面を円形に複数開口して形成しても良いし、他の趣味的な形状に開口して形成しても良い。
【００１７】
上記収納容器(８)を接続固定した噴射本体(５)を、エアゾール容器(１)の外周に接続固定した外筒(13)に、上下動及び円周方向に回動可能に接続している。また、噴射本体(５)の外周に一対の係合突起(14)を突設し、この係合突起(14)を、外筒(13)の内周壁面に円周方向に設けたクランク状の係合段部(15)に係合している。この係合段部(15)は、図２に示す如く、上昇部(16)と下降部(17)とを設け、エアゾール内容物の非噴射時は、図３に示す如く、係合突起(14)を上昇部(16)に係合させる事により、噴射本体(５)によりステム(３)が押圧される事がなく、エアゾール内容物の不測の噴射を防止する事ができる。
【００１８】
一方、エアゾール内容物の噴射時は、使用者は収納容器(８)を保持し、この収納容器(８)を介して噴射本体(５)をエアゾール容器(１)方向に押圧する事で、噴射本体(５)がステム(３)を押圧してエアゾール内容物が噴射される。この収納容器(８)の押圧と同時に、収納容器(８)を介して噴射本体(５)を円周方向に回動させ、係合突起(14)を下降部(17)に係合する。この係合により、噴射本体(５)が位置固定され、噴射本体(５)によるステム(３)の押圧状態を保持して、エアゾール内容物の連続的な噴射が可能となるものである。
【００１９】
また、噴射本体(５)は、ステム(３)と噴出口(７)との間に設けた流通路(６)に、図１、図４に示す如く、エアゾール内容物の流通を抑制可能な流量抑制機構(18)を設けている。この流量抑制機構(18)は、図４に示す如く、流通路(６)の途中の一部を大径に形成して大径部(20)を設け、この大径部(20)内に流量抑制駒(21)を収納している。この流量抑制駒(21)の外周面に、微細な流通溝(22)を形成するとともに、流通抑制駒(21)の天面と下面との一部を、各々流通路(６)及び流通溝(22)と連通する切欠段部(23)を切欠き形成している。この上下の切欠段部(23)と流通溝(22)により、流量抑制駒(21)と大径部(20)の内周壁面との間にエアゾール内容物の流通を抑制可能な流通間隔(24)が形成される。
【００２０】
また、流通溝(22)は、流量抑制駒(21)の外周面に一本のみ設けているが、複数本設けても良く、エアゾール内容物の外部への噴出量に合わせて適宜に設けるのが好ましい。また、大径部(20)の内周壁面に流通溝(22)を設けても良いし、大径部(20)の内周壁面及び流量抑制駒(21)の外周面の双方に流通溝(22)を設けても良い。また、大径部(20)の内周壁面及び／又は流量抑制駒(21)の外周面に突条を設け、その突条により大径部(20)の内周壁面と流量抑制駒(21)の外周面との間に形成される隙間を流通間隔(24)とする等により形成しても良い。また、このようにエアゾール内容物の流量を抑制可能とするため、流通溝(22)等を形成する事は、微細な貫通孔等を設けて流量を制御する場合に比較し工作が容易で、工作精度を高いものとする事ができる。
【００２１】
また、上記収納容器(８)に収納する液体(10)は、水、低級アルコール、多価アルコール、シリコンオイル、炭化水素、エーテル、エステル油又は油脂類等のうち、一種のみを収納しても良いし、比重の異なる複数種を組み合わせて収納し複数層の液体(10)としても良い。また、上記液体(10)に増粘剤を配合して、高粘度にした溶液を使用しても良い。また、シリコンオイル等、一種のみ使用した場合でも、比重の異なるシリコンオイルを使用して、複数層の液体(10)としても良い。また、これらの液体(10)に、着色を施す事により、趣味感が更に向上するものとなるが、複数層とした場合に、各層毎に異なる着色を施す事により、趣味感が一層高まるものとなる。更に、液体(10)中に気泡(11)で回転する水車、金魚、その他の玩具を収納すれば、デザイン性、嗜好性等を更に高める事ができる。
【００２２】
また、液体(10)は、水の場合は２０℃で粘度が１ｍＰａ・ｓであるが、この粘度を適宜調整する事により、エアゾール内容物の上昇速度を調整する事ができ、外部への単位時間当たりの放出量を任意に制御する事が可能となる。この液体(10)の粘度は、１〜１００００ｍＰａ・ｓとする。液体(10)の粘度が１ｍＰａ・ｓよりも低いと、液体(10)中での気泡(11)の通過時間が速すぎて、エアゾール内容物が短時間で外部に放出され、芳香効果を持続できなくなる。また、液体(10)の粘度が１００００ｍＰａ・ｓよりも高いと、気泡(11)が上昇しにくく、外部への放出量が少なくなって、芳香効果が低下する。
【００２３】
また、前記液体(10)に於いて、低級アルコールとしては、エタノール、イソプロパノール、プロパノール、ブタノール等が挙げられる。また、多価アルコールとしては、エチレングリコール、プロピレングリコール、ブチレングリコール、１，３−ブチレングリコール、グリセリン、キシリトール、ソルビトール、ジエチレングリコール、ジプロピレングリコール、ジグリセリン、トリエチレングリコール、トリグリセリン、ポリエチレングリコール、ポリプロピレングリコール等が挙げられる。
【００２４】
また、シリコンオイルとしては、メチルポリシロキサン、オクタメチルトリシロキサン、デカメチルシクロペンタンシロキサン、デカメチルテトラシロキサン、オクタメチルシクロテトラシロキサン、メチルフェニルポリシロキサン、各種変性シリコン等が挙げられる。
【００２５】
また、炭化水素としては、流動パラフィン、イソパラフィン、ノルマルパラフィン、ケロシン、スクワラン、スクワレン、芳香族炭化水素類等が挙げられる。また、エーテルとしては、メチルセロソルブ、エチルセロソルブ、ブチルセロソルブ、エチルカルビトール、ブチルカルビトール、グリコールエーテル等が挙げられる。また、エステル油としては、オクタン酸セチル、ミリスチン酸イソプロピル、ミリスチン酸オクチルドデシル、パルチミン酸イソプロピル等が挙げられる。また、油脂としては、ツバキ油、トウモロコシ油、オリーブ油、ナタネ油、ゴマ油、ヒマシ油、アマニ油、サフラワー油、香油等が挙げられる。
【００２６】
上述の如く構成したものに於いて、エアゾール内容物の噴射を行うには、収納容器(８)を保持し、エアゾール容器(１)方向に押圧しながら円周方向に回動して、噴射本体(５)の係合突起(14)を下降部(17)に係合固定する。この操作により、噴射本体(５)がステム(３)を押圧し、バルブ機構が開弁されてエアゾール内容物が、ステム(３)から流通路(６)内に流出し、この流通路(６)に設けた流量抑制機構(18)内に導入される。そして、エアゾール内容物が、流量抑制機構(18)の微細な流通間隔(24)を通過し、流通抵抗により流量が制限され、噴出口(７)から少量ずつエアゾール内容物が収納容器(８)内に噴出される。そして、エアゾール内容物は、図１に示す如く、気泡(11)となって液体(10)中を通過上昇し、収納容器(８)上端の放出口(12)を介して外部に放出される。
【００２７】
このようにエアゾール内容物が気泡(11)となって液体(10)中を通過上昇する事により、使用者はエアゾール内容物の噴射状態を目視確認する事が可能となるとともに、デザイン性も向上し、使用者の趣味感を満足させる事ができる。また、比重の異なる液体(10)を収納した場合には、その比重に応じて液体(10)の上昇速度が変化し、趣味感が更に向上するとともに、液体(10)の比重によってエアゾール内容物の流量も調整する事が可能となる。また、嗜好性にも優れ、室内等に載置しての使用も好ましいものとなる。更に、流量抑制機構(18)によりエアゾール内容物の流量を抑制しているから、室内等に微量ずつ放出され、エアゾール内容物を長期に室内等に放出して、芳香効果を持続させる事ができる。また、本実施例のエアゾール装置を消臭剤に用いた場合は消臭効果を、害虫忌避剤に用いた場合は害虫忌避効果を持続させる事ができる。
【実施例２】
【００２８】
上記実施例１では、噴射本体(５)に設けた係合突起(14)と外筒(13)に設けた係合段部(15)との係合により、エアゾール内容物の連続噴射を可能としているが、図５に示す実施例２では、エアゾール内容物の定量噴射を可能としている。この実施例２のエアゾール装置の構成は、まず実施例１と同様に、ステム(３)に噴射本体(５)を接続し、この噴射本体(５)の上端に液体(10)を収納した収納容器(８)を接続固定している。また、噴射本体(５)の流通路(６)に、流量抑制機構(18)を設け、噴出口(７)からのエアゾール内容物の噴射量を制御している。そして、噴射本体(５)を、エアゾール容器(１)の外周に接続固定した外筒(13)に、上下動可能に挿入配置している。
【００２９】
そして、実施例２では、前記エアゾール内容物の定量噴射を可能とするため、ステム(３)と流量抑制機構(18)との間隔に、図５に示す如く、ステム(３)から噴出するエアゾール内容物を一定量収納可能なチャンバー(25)を設けている。
【００３０】
上記実施例２のエアゾール装置でのエアゾール内容物の噴射時は、使用者は収納容器(８)を保持して、この収納容器(８)を介して噴射本体(５)をエアゾール容器(１)方向に押圧する。この押圧により、噴射本体(５)がステム(３)を押し下げ、バルブ機構が開弁してステム(３)からエアゾール内容物が噴出する。
【００３１】
このステム(３)から噴出したエアゾール内容物は、ステム(３)と流量抑制機構(18)との間に配置したチャンバー(25)内に流入する。そして、流量抑制機構(18)による流量抑制効果により、エアゾール内容物が流通間隔(24)を通過して噴出口(７)から少量ずつ液体(10)中に噴出されるとともに、チャンバー(25)内にエアゾール内容物が貯留される。
【００３２】
従って、使用者が収納容器(８)の押圧動作を解除して、バルブ機構が閉弁されても、チャンバー(25)内に貯留されたエアゾール内容物が、流量抑制機構(18)を介して噴出口(７)から少量ずつ液体(10)中に噴射され、気泡(11)となって液体(10)中を通過上昇後、放出口(12)を介して外部に放出される。そして、チャンバー(25)内のエアゾール内容物が全量噴射される事により、外部への放出が終了し、チャンバー(25)内に貯留された一定量のみのエアゾール内容物の噴射が可能となる。
【００３３】
また、チャンバー(25)内に一定量のエアゾール内容物が充填されると、ステム(３)からの流出が停止するから、使用者が必要以上に収納容器(８)の押圧動作を行っても、過剰にエアゾール内容物が噴射される事はない。
【実施例３】
【００３４】
上記実施例１及び実施例２では、流量抑制機構(18)として、流通路(６)の大径部(20)内に、流量抑制駒(21)を収納し、大径部(20)と流量抑制駒(21)との間に形成した流通間隔(24)によりエアゾール内容物の流量を制御している。これに対して、他の異なる実施例３の流量抑制機構(18)は、図６、図７に示す如く、流通路(６)を大径に形成して大径部(20)を形成し、この大径部(20)内にエアゾール内容物の流量抑制のためのノズルケーシング(26)を挿入配置している。
【００３５】
このノズルケーシング(26)は、先端にボール(27)を配置しているが、このボール(27)は、図７に示す如く、ノズルケーシング(26)への配置状態において、ボール(27)の半球よりも先端側までノズルケーシング(26)の先端固定部(28)を延伸して配置している。この先端固定部(28)をボール(27)の半球よりも先端側の外周面に巻締め固定することにより、ボール(27)をノズルケーシング(26)に不動的に固定している。このように先端固定部(28)をボール(27)の半球よりも先端側の外周面に巻締め固定する事により、ボール(27)がノズルケーシング(26)より離脱する事がないものとなる。
【００３６】
また、ノズルケーシング(26)の内周壁面とボール(27)の外周面との間に、エアゾール内容物の流量を抑制可能とする流通間隔(24)を形成している。この流通間隔(24)の形成は、ノズルケーシング(26)の内周壁面及び／又はボール(27)の外周面に、流通溝(22)を設けることにより形成している。この場合も、流通溝(22)の形成は、微細な貫通孔等を設けて形成する場合に比較し工作が容易で、工作精度が高いものとする事ができる。
【００３７】
尚、上記実施例３では、ノズルケーシング(26)に流通溝(22)を設けて流通間隔(24)を形成しているが、ボール(27)を使用した場合の他の異なる実施例として、ノズルケーシング(26)の内周壁面及び／又はボール(27)の外周面に、梨地模様(図示せず)を設ける事により形成しても良い。このように梨地模様にて流通間隔(24)を設ける事により、ボール(27)への先端固定部(28)の巻締め力をそれほど厳密なものとしなくても、ボール(27)と先端固定部(28)との間に微細な流通間隔(24)を形成する事ができ、厳密な工作精度を不要とする事ができる。
【００３８】
また、実施例３に於いては、流量抑制機構(18)の上面に先端を臨ませ、円錐状の支柱(31)を配置し、この支柱(31)の外周に複数の噴出口(７)を円周状に設けている。この支柱(31)の外周に設けた噴出口(７)を介して、エアゾール内容物が収納容器(８)側に流出可能となる。また、ノズルケーシング(26)と支柱(31)との空間内は、噴出口(７)を介して収納容器(８)内から流下した液体(10)で満たされている。また、流量抑制機構(18)のボール(27)に臨ませて円錐状に支柱(31)を設けた事により、流量抑制機構(18)から噴射されたエアゾール内容物が、支柱(31)を介して四方八方に分散して噴出口(７)方向に流動し、液体(10)中へのエアゾール内容物の均一な噴出が可能となる。
【００３９】
また、実施例３に於いても、実施例１と同様に、エアゾール容器(１)の外周に接続固定した外筒(13)に、噴射本体(５)を上下動及び円周方向に回動可能に接続し、噴射本体(５)の外周に突設した係合突起(14)を、外筒(13)の内周壁面に設けたクランク状の係合段部(15)に係合して連続噴射機構を設け、エアゾール内容物の外部への連続的な放出を可能としている。また、図６では、収納容器(８)の天面に、シール部材(30)を貼着して放出口(12)を閉止した状態を示している。これはエアゾール装置の未使用時に、運搬時の衝撃や横倒しになった際等に、放出口(12)から液体(10)が流出したり、放出口(12)から埃等が侵入するのを防止するためのものである。従って、図６に示す如きエアゾール内容物の放出時は、シール部材(30)を剥離して使用するものである。
【００４０】
上述の如き構成の流量抑制機構(18)では、ステム(３)から流通路(６)内にエアゾール内容物が噴射されると、このエアゾール内容物はノズルケーシング(26)内に流入し、ノズルケーシング(26)内周壁面とボール(27)の外周面との間の流通間隔(24)を介して大径部(20)内に微量ずつ流出する。この大径部(20)内には、液体(10)が収納されているから、エアゾール内容物は気泡(11)となって大径部(20)内を通過上昇し、この気泡(11)は支柱(31)の複数の噴出口(７)を介して収納容器(８)側に放出される。そして、気泡(11)は収納容器(８)の液体(10)中を通過上昇した後、放出口(12)を介して外部に放出され、使用者がエアゾール内容物の噴射状態を目視確認する事ができる。
【実施例４】
【００４１】
また、上記実施例１〜実施例３では、正立状態のエアゾール容器(１)の上端に噴射本体(５)を介して直列に収納容器(８)を配置しているが、図８に示す他の異なる実施例４では、エアゾール容器(１)を倒立状態で使用するとともに、エアゾール容器(１)と収納容器(８)とを並列に配置し、互いを後述の流動ノズル(37)で連結してエアゾール内容物の噴射を可能としている。その構成を説明すると、図８に示す如く、エアゾール容器(１)の収納部(32)と収納容器(８)の収納部(33)とを設けてケース本体(34)を形成し、一方の収納部(32)内に、エアゾール内容物を充填したエアゾール容器(１)を倒立して収納し、他方の収納部(33)内に、液体(10)を収納し下端に噴射本体(５)を接続した収納した収納容器(８)を収納している。
【００４２】
また、一方の収納部(32)内に倒立配置したエアゾール容器(１)のステム(３)を、この一方の収納部(32)の底面に設けた押圧部(35)に挿入接続している。そして、使用者がエアゾール容器(１)を底面方向に押圧する事により、押圧部(35)にてステム(３)が押圧されてエアゾール内容物が噴射され、このエアゾール内容物は押圧部(35)内に設けた導入路(36)に流出する。
【００４３】
一方、噴射本体(５)は、流通路(６)の下端に、エアゾール内容物の流動ノズル(37)を接続し、この流動ノズル(37)を押圧部(35)の導入路(36)に連結し、この導入路(36)及び流動ノズル(37)を介してエアゾール容器(１)内のエアゾール内容物を噴射本体(５)の流通路(６)内に導入可能としている。また、噴射本体(５)には、実施例１及び実施例２と同様に、大径部(20)と流量抑制駒(21)とから成る流量抑制機構(18)を設け、この流量抑制機構(18)の下方に、エアゾール内容物を一定量収納可能なチャンバー(25)を形成している。
【００４４】
上述の如きエアゾール装置では、エアゾール容器(１)を押圧部(35)方向に押圧する事により、バルブ機構が開弁してステム(３)からエアゾール内容物が噴出し、押圧部(35)の導入路(36)内に流入する。そして、エアゾール内容物は流動ノズル(37)を介して噴射本体(５)の流通路(６)内に流入し、この流通路(６)内に設けたチャンバー(25)内に貯留される。このチャンバー(25)内にエアゾール内容物が十分充填されたら、使用者はエアゾール容器(１)の押圧を解除する。
【００４５】
上記操作により、チャンバー(25)内のエアゾール内容物が、流量抑制機構(18)の流通間隔(24)を介して少量ずつ噴出口(７)を介して収納容器(８)の液体(10)中に噴出され、エアゾール内容物は気泡(11)となって液体(10)中を通過上昇した後、収納容器(８)の放出口(12)から外部に放出される。
【００４６】
このように、収納容器(８)とエアゾール容器(１)とを並列に配置する事により、直列に配置した実施例１〜実施例３に比べて安定性が良くなるため、エアゾール容器(１)を丈高にする事ができ、より長時間のエアゾール内容物の噴射が可能となる。また、収納容器(８)を丈高にし、気泡(11)の流通経路を長くして、液体(10)中の滞留時間を長くする事等も可能となる。また、エアゾール製品が縦長とはならず、載置安定性が向上するものとなる。
【００４７】
上記各実施例のエアゾール装置は、芳香剤としては、トイレ用芳香剤、室内用芳香剤、自動車用芳香剤等の噴射に適している。また、消臭剤としては、室内用消臭剤、自動車用消臭剤等の噴射に適している。また、害虫忌避剤としては、ハエ、蚊、ダニ用忌避剤、ゴキブリ用忌避剤等の噴射に適している。
【図面の簡単な説明】
【００４８】
【図１】本発明の実施例１のエアゾール装置の断面図。
【図２】係合突起を設けた噴射本体と係合段部を設けた外筒との分解図。
【図３】係合突起を係合段部の上昇部に係合した状態の噴射本体と外筒との断面図。
【図４】大径部の流量抑制駒部分の拡大断面図。
【図５】流通路にチャンバーを設けた実施例２のエアゾール装置の断面図。
【図６】流量抑制機構にボールを用いた実施例３のエアゾール装置の断面図。
【図７】ノズルケーシングのボール部分の拡大断面図。
【図８】エアゾール容器と収納容器とを並列に配置した実施例４のエアゾール装置の断面図。
【符号の説明】
【００４９】
１  エアゾール容器
３  ステム
５  噴射本体
６  流通路
７  噴出口
８  収納容器
１０  液体
１２  放出口
１３  外筒
１８  流量抑制機構
２１  流量抑制駒
２４  流通間隔
２５  チャンバー
２６  ノズルケーシング
２７  ボール
２８  先端固定部
【図１】
2005319344.tif 000003
【図２】
2005319344.tif 000004
【図３】
2005319344.tif 000005
【図４】
2005319344.tif 000006
【図５】
2005319344.tif 000007
【図６】
2005319344.tif 000008
【図７】
2005319344.tif 000009
【図８】
2005319344.tif 000010